(57)【要約】【課題】  本当に必要な情報を、必要とするタイミングで、容易に印刷物の形態で確認できる手段を提供する。【解決手段】入力機器４から返信用のファクシミリ番号と共に送信されたリクエスト情報を解析し、リクエストに関するデータを抽出する受信内容解析手段１１と、リクエスト項目に関するデータを記録するデータ記録手段１２と、データ記録手段１２に、リクエスト項目に関するデータを登録する登録手段１３と、受信内容解析手段１１で抽出したデータを、データ記録手段１２に記録されたデータと照合し、送信用のデータを選別する選別手段１４と、選別手段１４によって選別したデータを、返信用のファクシミリ２に送信する結果処理手段１５とを有する。【選択図】図１
2007036309.tif 000002
【特許請求の範囲】
【請求項１】
返信用のファクシミリ番号と共に送信されたリクエスト情報を解析し、リクエストに関するデータを抽出する受信内容解析手段と、
リクエスト項目に関するデータを記録するデータ記録手段と、
データ記録手段に、リクエスト項目に関するデータを登録するデータ登録手段と、
受信内容解析手段で抽出したデータを、データ記録手段に記録されたデータと照合し、送信用のデータを選別する選別手段と、
選別手段によって選別したデータを、返信用のファクシミリに送信する結果処理手段とを有する、情報提供装置。
【請求項２】
返信用のファクシミリ番号と共に送信されたリクエスト情報を解析し、リクエストに関するデータを抽出する受信内容解析手段と、
リクエスト項目に関するデータを記録するデータ記録手段と、
データ記録手段に、リクエスト項目に関するデータを登録するデータ登録手段と、
受信内容解析手段で抽出したデータを、データ記録手段に記録されたデータと照合し、送信用のデータを選別する選別手段と、
選別手段によって選別したデータを、返信用のファクシミリに送信する結果処理手段とを有し、
さらに、
ファクシミリ番号情報を含む受手人データが記録され、結果処理手段に接続された番号情報記録手段と、
結果処理手段に接続された料金通知手段とを有し、
料金通知手段が、通信回線に接続され、
結果処理手段が、選別手段によって選別したデータを、通信回線を通じて対象番号のファクシミリに送信すると共に、
料金通知手段が、ファックスの送信に応じた料金の支払情報を、通信回線を通じてファクシミリ番号に対応した料金を管理する管理センターに番号情報と共に通知することを特徴とする、情報提供装置。
【請求項３】
受信内容解析手段が、通信回線に接続された検索サイトを運用する検索サーバーの検索サイトの表示画面に関連して設置されていることを特徴とする、請求項１または請求項２に記載の情報提供装置。
【発明の詳細な説明】
【技術分野】
【０００１】
本発明は、通信手段を介して行われる情報提供装置に関する。
【背景技術】
【０００２】
最近は、インターネットを利用することで、必要な情報を容易に入手できる環境にあるが、主に画面上で確認するだけに留まることが多い。
特に、パソコン等の操作に慣れない人にとって、プリンターの電源を入れ、印刷のためのフォームを選択し、プリント命令を発するのは、容易なことではない。
また、画面上では、文字の大きさ等の関係で、情報の確認が困難で、印刷物で確認することを望む場合であっても、印刷の困難性から諦めている場合も見受けられる。
【０００３】
なお、ファクシミリを含めた広告情報の提供装置として、特許文献１（特開平９−９１３５８号公報）に、送り手から受け手へ送られる情報の配信に関する処理を行う情報処理システムにおいて、前記受け手の受け手属性と前記送られる情報に対する希望条件を含み、該受け手が設定する情報受信要件と、該送られる情報の情報属性と前記送り手の該受け手に対する希望条件を含み、該送り手が設定する情報送信要件とを入力する入力手段と、前記情報属性が前記情報に対する希望条件を満足し、前記受け手属性が前記受け手に対する希望条件を満足する場合に、前記送り手から前記受け手への情報配信を許可する処理手段とを備えることを特徴とする情報提供装置が記載されている。
【特許文献１】特開平９−９１３５８号公報
【発明の開示】
【発明が解決しようとする課題】
【０００４】
すなわち、本発明が解決しようとする課題は、必要な情報を、容易に印刷物の形態で確認できる手段を提供することにある。
特に、パソコン等の操作に慣れない人にとっても、容易に、印刷物の形態で必要な情報の入手ができる手段を提供することにある。
【０００５】
なお、特許文献１には、送り手側が希望する条件が反映されているにすぎず、受け手側の事情は考慮されていなかった。
そのため、受手人にとっては、受信に伴う紙やインク等のコストがかかる等の理由で、迷惑な情報が一方的に送られてくることにかわりなく、本当に必要な情報を、必要とするタイミングで入手することができなかった。
【０００６】
従って、本発明が解決しようとする課題は、本当に必要な情報を、必要とするタイミングで、容易に印刷物の形態で確認できる手段を提供することにある。
【課題を解決するための手段】
【０００７】
第１に、
返信用のファクシミリ番号と共に送信されたリクエスト情報を解析し、リクエストに関するデータを抽出する受信内容解析手段と、
リクエスト項目に関するデータを記録するデータ記録手段と、
データ記録手段に、リクエスト項目に関するデータを登録するデータ登録手段と、
受信内容解析手段で抽出したデータを、データ記録手段に記録されたデータと照合し、送信用のデータを選別する選別手段と、
選別手段によって選別したデータを、返信用のファクシミリに送信する結果処理手段とを有する、情報提供装置。
第２に、
返信用のファクシミリ番号と共に送信されたリクエスト情報を解析し、リクエストに関するデータを抽出する受信内容解析手段と、
リクエスト項目に関するデータを記録するデータ記録手段と、
データ記録手段に、リクエスト項目に関するデータを登録するデータ登録手段と、
受信内容解析手段で抽出したデータを、データ記録手段に記録されたデータと照合し、送信用のデータを選別する選別手段と、
選別手段によって選別したデータを、返信用のファクシミリに送信する結果処理手段とを有し、
さらに、
ファクシミリ番号情報を含む受手人データが記録され、結果処理手段に接続された番号情報記録手段と、
結果処理手段に接続された料金通知手段とを有し、
料金通知手段が、通信回線に接続され、
結果処理手段が、選別手段によって選別したデータを、通信回線を通じて対象番号のファクシミリに送信すると共に、
料金通知手段が、ファックスの送信に応じた料金の支払情報を、通信回線を通じてファクシミリ番号に対応した料金を管理する管理センターに番号情報と共に通知することを特徴とする、情報提供装置。
第３に、
受信内容解析手段が、通信回線に接続された検索サイトを運用する検索サーバーの検索サイトの表示画面に関連して設置されていることを特徴とする、上記第１または上記第２に記載の情報提供装置。
すなわち、検索サイトの表示画面におけるキーワードの入力欄に、必要とする情報に関するキーワードを入力すると、入力されたデータが、受信内容解析手段に伝達されるように、リンク付けをすることで設置する。
ここで、ファックス番号を入力する際には、ファクス番号の前後を「＃」等の特別な記号で囲むことで、ファックス番号として解析されるように設定することができる。
また、検索サイトの表示画面に、キーワードの入力欄とは別に、ファックス番号の入力欄を別途設けることもできる。
【０００８】
上記の情報提供装置は、インターネットに接続されたサーバーに、各手段を備えることで構成できるが、各手段は、インターネットに接続された複数のサーバーに分散して備えることもできる。
【０００９】
ここで、番号情報記録手段は、通信回線を通じて結果処理手段に接続したものでもよい。
【００１０】
また、管理センターとは、ファクシミリによる情報等の受け手側のファクシミリ番号に相当する電話番号を管理する各種の通信会社における、電話料金の管理部門のことを示し、単独で機能する管理サーバーや、他の機能を含む複合サーバーの他にも、電話の管理運営システムそのものに組み込まれたもの等を示す。
【発明の効果】
【００１１】
本発明によると、本当に必要な情報を、必要とするタイミングで、容易に印刷物の形態で確認できる手段を提供できる。
【００１２】
ここで、本発明では、一般家庭への普及率は高いが、利用率が決して高いとはいえないファクシミリを、情報確認の印刷物を得るためのプリンターとして利用するので、ファクシミリの有効活用が可能となる。
そして、情報の受手人側の事情が考慮され、受手人が必要とする情報を入手できる手段を提供することができると同時に、情報の提供者である送手側にとっても、真に情報を必要とする人に対して、送信するので、従来、ほとんどの割合を占めていた無駄な送信を避けることができ、送信コストの大幅な削減を図ることが可能となる。
また、既存の電話回線に接続されたファクシミリを使用し、必要な情報を入手するので、パーソナルコンピュータの扱いに不慣れな人、プリンターを所有しない人、プリントをするのが面倒と考える人等であっても、必要な情報が気軽に入手可能となる。
【００１３】
さらに、料金通知手段と番号情報記録手段を備えた情報提供装置によると、受け手側で生じる受信に伴う紙やインク等のコストを、送信者側で負担する手段を提供することができる。
そして、この場合には、電話番号に対応した電話料金に、印刷コスト等の料金分を減算し、月単位で、使用者に電話料金として、まとめて請求する技術を提供することができる。
【図面の簡単な説明】
【００１４】
【図１】本発明の第１実施形態の概略図である。
【図２】本発明の第２実施形態の概略図である。
【符号の説明】
【００１５】
１ａ  情報提供装置
１ｂ  情報提供装置
２  ファクシミリ
３  情報登録者
４  入力機器
５  通信回線
６  管理センター
７  検索サーバー
１１  受信内容解析手段
１２  データ記録手段
１３  データ登録手段
１４  選別手段
１５  結果処理手段
２１  番号情報記録手段
２２  料金通知手段
【発明を実施するための最良の形態】
【００１６】
［第１実施形態］
【００１７】
本例に係る情報提供システムは、通信回線５に接続された情報提供装置１ａと、該情報提供装置１ａに通信回線５を通じて接続されたユーザーのファクシミリ２と、通信回線５に接続されたパソコン等の入力機器４とによって構築されている。
【００１８】
情報提供装置１ａは、入力機器４から返信用のファクシミリ番号と共に送信されたリクエスト情報を解析し、リクエストに関するデータを抽出する受信内容解析手段１１と、リクエスト項目に関するデータを記録するデータ記録手段１２と、データ記録手段１２に、リクエスト項目に関するデータを登録するデータ登録手段１３と、受信内容解析手段１１で抽出したデータを、データ記録手段１２に記録されたデータと照合し、送信用のデータを選別する選別手段１４と、選別手段１４によって選別したデータを、返信用のファクシミリ２に送信する結果処理手段１５とを有するものである。
【００１９】
受信内容解析手段１１は、通信回線に接続された検索サイトを運用する検索サーバー７の検索サイトの表示画面に関連して設置されている。
【００２０】
すなわち、パソコン等の入力機器４から、通信回線５を通じてインターネットの検索サイトがある検索サーバー７にアクセスし、検索サイトの表示画面に、必要とする情報のキーワードと、返信用のファクシミリ番号を入力すると、このデータが、受信内容解析手段１１によって解析され、抽出される。
【００２１】
データ記録手段１２は、ユーザーのリクエスト項目に関するデータを、データベースとして、記録するものである。
データ記録手段１２に記録すべきデータとしては、例えば、商品自体についての性能、製造メーカー、希望販売価格等のメーカーサイドのデータの他に、その商品を扱う複数の販売業者や、各販売業者によるその商品の販売価格等の販売サイドのデータ等が例示される。
【００２２】
データ登録手段１３は、メーカーサイドや販売サイド等の情報登録者３から提供される、各種のデータを、データ記録手段１２に登録するものである。
この登録は、情報提供装置１ａに対して、キーボード等から入力することで行うことができる他に、図示は省略するが、インターネット等の通信回線を介して、複数の情報登録者３自身が、任意のタイミングで直接行うこともできる。
また、情報登録者３から情報が提供されない場合であっても、インターネットに接続されたサーバーのデータを自動検索する手段を用いて、ユーザーが必要とする情報を自動的に登録することもできる。
【００２３】
選別手段１４は、受信内容解析手段１１で抽出したデータを、データ記録手段１２に記録されたデータと照合し、商品名や価格等の指定の条件に合致する送信用のデータを抽出し、更に、抽出したデータから送信すべきデータを選別するものである。
データの選別は、送信データの送信量が膨大にならないように、例えば、最終選別項目として、価格順や、累積のアクセス回数順等を選択して行うことができる。
【００２４】
結果処理手段１５は、選別手段１４によって選別したデータを、返信用のファクシミリ２に、リクエスト情報の受信時のファックス番号に基づいて発信するものである。
【００２５】
次に、情報提供方法について説明する。
【００２６】
ユーザーが、必要とする情報を入手するために、パソコン等による入力機器４を用いて、リクエスト情報を返信用のファクシミリ番号と共に情報提供装置１ａに、通信回線５を介して送信する。
【００２７】
送信されたリクエスト情報は、情報提供装置１ａの受信内容解析手段１１によって解析され、リクエストに関するデータが抽出される。
【００２８】
そして、選別手段１４によって、受信内容解析手段１１で抽出したデータが、データ記録手段１２に記録されたデータと照合され、送信用の情報としてのデータが選別される。
【００２９】
選別手段１４によって選別された情報は、結果処理手段１５によって、返信用のファクシミリ２に送信される。
【００３０】
送信された情報は、その情報を必要とするユーザーのファクシミリ２によって受信される。
【００３１】
このように、本発明によると、ファクシミリの情報の受手人側の事情が考慮され、受手人が必要とする情報が、必要とするタイミングで気軽に入手できる。
【００３２】
また、既存の電話回線に接続されたファクシミリをプリンターとして使用することで、必要な情報が印刷物として入手可能なので、パーソナルコンピュータの扱いに不慣れな人、プリンターを所有しない人、プリントをするのが面倒と考える人等であっても、必要な情報が気軽に入手可能となる。
【００３３】
［第２実施形態］
【００３４】
本例に係る情報提供システムは、第１実施形態と主要な構成が同様に、通信回線５に接続された情報提供装置１ｂと、該情報提供装置１ｂに通信回線５を通じて接続されたユーザーのファクシミリ２と、通信回線５に接続されたパソコン等の入力機器４とによって構築されている。
【００３５】
情報提供装置１ｂは、入力機器４から返信用のファクシミリ番号と共に送信されたリクエスト情報を解析し、リクエストに関するデータを抽出する受信内容解析手段１１と、リクエスト項目に関するデータを記録するデータ記録手段１２と、データ記録手段１２に、リクエスト項目に関するデータを登録するデータ登録手段１３と、受信内容解析手段１１で抽出したデータを、データ記録手段１２に記録されたデータと照合し、送信用のデータを選別する選別手段１４と、選別手段１４によって選別したデータを、返信用のファクシミリ２に送信する結果処理手段１５とを有するものである。
【００３６】
さらに、ファクシミリ番号情報を含む受手人データが記録され、結果処理手段１５に接続された番号情報記録手段２１と、結果処理手段１５に接続された料金通知手段２２とを有している。
【００３７】
受信内容解析手段１１は、通信回線に接続された検索サイトを運用する検索サーバー７の検索サイトの表示画面に関連して設置されている。
【００３８】
すなわち、パソコン等の入力機器４から、通信回線５を通じてインターネットの検索サイトがある検索サーバー７にアクセスし、検索サイトの表示画面に、必要とする情報のキーワードと、返信用のファクシミリ番号を入力すると、このデータが、受信内容解析手段１１によって解析され、抽出される。
【００３９】
データ記録手段１２は、ユーザーのリクエスト項目に関するデータを、データベースとして、記録するものである。
データ記録手段１２に記録すべきデータとしては、例えば、商品自体についての性能、製造メーカー、希望販売価格等のメーカーサイドのデータの他に、その商品を扱う複数の販売業者や、各販売業者によるその商品の販売価格等の販売サイドのデータ等が例示される。
【００４０】
データ登録手段１３は、メーカーサイドや販売サイドの情報登録者３から提供される、各種のデータを、データ記録手段１２に登録するものである。
この登録は、情報提供装置１ｂに対して、キーボード等から入力することで行うことができる他に、図示は省略するが、インターネット等の通信回線を介して、複数の情報登録者３自身が、任意のタイミングで直接行うこともできる。
また、情報登録者３から情報が提供されない場合であっても、インターネットに接続されたサーバーのデータを自動検索する手段を用いて、情報を自動的に登録することもできる。
【００４１】
選別手段１４は、受信内容解析手段１１で抽出したデータを、データ記録手段１２に記録されたデータと照合し、商品名や価格等の指定の条件に合致する送信用のデータを抽出し、更に、抽出したデータから送信すべきデータを選別するものである。
データの選別は、送信データの送信量が膨大にならないように、例えば、最終選別項目として、価格順や、累積のアクセス回数順等を選択して行うことができる。
【００４２】
結果処理手段１５は、選別手段１４によって選別したデータを、返信用のファクシミリ２に、リクエスト情報の受信時の通知されたファックス番号に基づいて発信するものである。
【００４３】
番号情報記録手段２１は、複数の受手人のファクシミリ番号に相当する電話番号、住所、性別、職業、年齢等の各種のデータを含む受手人データを記録したものであり、結果処理手段１５と共に、同じサーバー内に形成することもできるし、通信回線５を介して、外部に接続することもできる。
【００４４】
料金通知手段２２は、通信回線５に接続され、ファックスの送信に応じた料金の支払情報を、通信回線５を通じてファクシミリ番号に対応した料金を管理する管理センター６に番号情報と共に通知する。
ここで、支払情報は、ファックス送信における受手人側に発生する紙やインク代等のコストを、例えば、１枚のファクス受信当たり５円を支払う等の支払命令により決定されるものである。
【００４５】
管理センター６は、受手人側の電話番号を管理する通信会社における、電話料金の管理部門であり、通信回線５に接続されている。
【００４６】
次に、情報提供方法について説明する。
【００４７】
ユーザーが、必要とする情報を入手するために、パソコン等による入力機器４を用いて、リクエスト情報を返信用のファクシミリ番号と共に情報提供装置１ｂに、通信回線５を介して送信する。
【００４８】
送信されたリクエスト情報は、情報提供装置１ｂの受信内容解析手段１１によって解析され、リクエストに関するデータが抽出される。
【００４９】
そして、選別手段１４によって、受信内容解析手段１１で抽出したデータが、データ記録手段１２に記録されたデータと照合され、送信用の情報としてのデータが選別される。
【００５０】
選別手段１４によって選別された情報は、結果処理手段１５によって、返信用のファクシミリ２に送信される。
【００５１】
送信された情報は、その情報を必要とするユーザーのファクシミリ２によって受信される。
【００５２】
ここで、料金通知手段２２が、ファックスの送信によって受手人側に発生する紙やインクのコスト代としての料金の支払情報を、通信回線５を通じて、電話番号に対応した電話料金を管理する管理センター６に、電話番号情報と共に通知する。
【００５３】
この通知によって、管理センター６は、受手人の電話番号に対応した電話料金に、支払い情報に応じた料金分を減算し、月単位で、使用者に電話料金として、まとめて請求する。
【００５４】
これにより、情報の受け手側で生じる紙やインク等のコストを、送信者側で負担する手段の提供が可能になる。
そして、送信するファックスに、受信による紙やインク等のコストを、送信側で負担することを明らかにしておくことで、受信者が、気分を害することなしに、情報を見ることが期待できる。
その結果、ファクシミリによる情報の提供が、特に一般家庭において、有効なものとなる。
【００５５】
このように、本発明によると、ファクシミリの情報の受手人側の事情が考慮され、受手人が必要とする情報が、必要とするタイミングで気軽に入手できる。
【００５６】
また、既存の電話回線に接続されたファクシミリをプリンターとして使用することで、必要な情報が印刷物として入手可能なので、パーソナルコンピュータの扱いに不慣れな人、プリンターを所有しない人、プリントをするのが面倒と考える人等であっても、必要な情報が気軽に入手可能となる。
【図１】
2007036309.tif 000003
【図２】
2007036309.tif 000004